(57)【要約】【課題】各リード線が医療機器の複数の端子口の対応する一つに確実に挿入されているかどうかを直感的且つ瞬時に把握することができるケーブルを提供する。【解決手段】ケーブル１は、互いに分離した複数のリード線２を備える。複数の各リード線２は、リード線端子２２と電極接続部２６とを有する。各リード線端子２２には、斜線マーク２３が表示される。各リード線端子２２がアダプタ６に設けられた複数の端子口６２の対応する一つに挿入された状態で、複数のリード線端子２２がＤ２方向に配列され、隣接するリード線端子２２の表面２２ｓに表示された斜線マーク２３の表示位置が互いに異なり、各リード線端子２２の表面２２ｓに表示された斜線マーク２３が、斜線パターンＰを形成する。【選択図】図２
2018006069.tif 000002
【特許請求の範囲】
【請求項１】
互いに分離した複数のリード線を備えたケーブルであって、
前記複数の各リード線は、リード線端子と、電極又は電極接続部とを有し、
前記各リード線端子には、マークが表示され、
前記各リード線端子が医療機器に設けられた複数の端子口の対応する一つに挿入された状態で、
ａ）前記複数のリード線端子が所定方向に配列され、
ｂ）隣接するリード線端子の表面に表示されたマークの表示形態が互いに異なり、
ｃ）前記各リード線端子の表面に表示されたマークが、所定のパターンを形成する、ケーブル。
【請求項２】
前記各リード線端子には、前記対応する端子口を特定するための誘導名を示す誘導マークがさらに表示されている、請求項１に記載のケーブル。
【請求項３】
前記各リード線端子が前記複数の端子口の対応する一つに挿入された状態で、前記所定方向に配列された複数のリード線端子のうちの一端側に位置するリード線端子から他端側に位置するケーブル端子に向けて、前記各マークの表示位置が連続的に変化する、請求項１又は２に記載のケーブル。
【請求項４】
前記所定のパターンは、前記所定方向に対して斜めに延びる斜線パターンである、請求項３に記載のケーブル。
【請求項５】
前記各リード線端子が前記複数の端子口の対応する一つに挿入された状態で、前記所定方向に配列された複数のリード線端子のうちの一端側に位置するリード線端子から他端側に位置するリード線端子に向けて、前記各マークの表示面積が連続的に変化する、請求項１又は２に記載のケーブル。
【請求項６】
前記所定のパターンは、前記所定方向に対して斜めに延びる斜線を有する三角形パターンである、請求項５に記載のケーブル。
【発明の詳細な説明】
【技術分野】
【０００１】
本発明は、ケーブルに関し、特に有効には、医療機器に使用されるケーブルに関する。
【背景技術】
【０００２】
患者の心電図を取得する心電計等の医療機器では、複数のリード線が使用されている。各リード線の一端には、患者に装着される電極が取り付けられると共に、各リード線の他端には、医療機器の端子口に挿入されるリード線端子が設けられている。例えば、特許文献１では、複数のリード線から構成される装置側誘導コードと、複数のリード線から構成される複数の患者側誘導コードと、装置側誘導コードと患者側誘導コードを中継する誘導コード中継部が開示されている。
【先行技術文献】
【特許文献】
【０００３】
【特許文献１】実開平５−８２４０７号公報
【発明の概要】
【発明が解決しようとする課題】
【０００４】
特許文献１に記載された誘導コードでは、誘導コードに内蔵された複数のリード線の一つに不具合がある場合、誘導コードや誘導コード中継部を取り換える必要性が生じるため、修理コストが高くなりやすい。このように、修理コストを抑えるために、互いに分離した複数のリード線が使用されている。
【０００５】
例えば、互いに分離した複数のリード線の各々の一端には、患者に装着される複数の電極のうち対応する一つが取り付けられると共に、各リード線の他端は、心電計に接続されたアダプタ（医療機器の一例）に設けられた複数の端子口の対応する一つに挿入される。
【０００６】
複数のリード線やアダプタをクリーニングするために、各リード線をアダプタから取り外す場合がある。また、心電図検査を行う誘導数を切り替える場合、いくつかのリード線をアダプタから取り外す場合がある（例えば、１５誘導心電図検査では、１３個の電極が患者に装着される一方、１２誘導心電図検査では１０個の電極が患者に装着される）。かかる場合、取り外したリード線の各々を再びアダプタの端子口に挿入するときに、各リード線（特に、各リード線のリード線端子）の形状や色が似ている又は同一であるため、取り外された複数リード線のうち一つが間違った端子口に挿入される状況（以下、誤挿入という。）や、対応する端子口に確実に挿入されていない状況（以下、不完全な挿入という。）に医療従事者は気付きにくい。誤挿入や不完全な挿入のまま患者に対して心電図検査を行うと、患者の心電図検査が正確に行われない。
【０００７】
本発明は、上記のような誤挿入や不完全な挿入を防ぐことを目的としており、各リード線が医療機器の複数の端子口の対応する一つに確実に挿入されているかどうかを直感的且つ瞬時に把握することができるケーブルを提供する。
【課題を解決するための手段】
【０００８】
本発明の一態様に係るケーブルは、互いに分離した複数のリード線を備え、
前記複数の各リード線は、リード線端子と、電極又は電極接続部とを有し、
前記各リード線端子には、マークが表示される。
前記各リード線端子が医療機器に設けられた複数の端子口の対応する一つに挿入された状態で、
ａ）前記複数のリード線端子が所定方向に配列され、
ｂ）隣接するリード線端子の表面に表示されたマークの表示形態が互いに異なり、
ｃ）前記各リード線端子の表面に表示されたマークが、所定のパターンを形成する。
【発明の効果】
【０００９】
本発明によれば、各リード線が医療機器の複数の端子口の対応する一つに確実に挿入されているかどうかを直感的且つ瞬時に把握することができるケーブルを提供することができる。
【図面の簡単な説明】
【００１０】
【図１】本発明の実施形態（以下、単に本実施形態という。）に係るケーブル、アダプタ及び心電計をそれぞれ示す模式図である。
【図２】（ａ）は、本実施形態に係るケーブルの一部を示す拡大図である。（ｂ）は、（ａ）に示すケーブルの各リード線がアダプタの複数の端子口の対応する一つに挿入された状態を示す図である。
【図３】（ａ）は、２つのリード線の各々が間違った端子口に挿入された状況を示す図である。（ｂ）は、複数のリード線のうちの一つが対応する端子口に十分に挿入されていない状況を示す図である。
【図４】（ａ）は、本実施形態の第１変形例に係るケーブルの一部を示す拡大図である。（ｂ）は、本実施形態の第２変形例に係るケーブルの一部を示す拡大図である。
【発明を実施するための形態】
【００１１】
以下、本実施形態について図面を参照しながら説明する。尚、本実施形態の説明において既に説明された部材と同一の参照番号を有する部材については、説明の便宜上、その説明は省略する。また、本図面に示された各部材の寸法は、説明の便宜上、実際の各部材の寸法とは異なる場合がある。
【００１２】
図１は、本実施形態に係るケーブル１と、アダプタ６（医療機器の一例）と、心電計５（医療機器の一例）をそれぞれ示す模式図である。図１に示すように、ケーブル１は、互いに分離した１３本のリード線２を備える。各リード線２は、ケーブル本体２１と、ケーブル本体２１の一端側に設けられ、電極３に接続される電極接続部２６と、ケーブル本体２１の他端側に設けられ、アダプタ６の端子口６２（図２（ｂ）参照）に挿入されるリード線端子２２とを有する。各リード線２の形状と色は同一であってもよい。
【００１３】
各リード線２は、複数の電極３のうち対応する一つと電気的に接続されており、各電極３は、患者の測定部位に装着されることで、患者の測定部位の電位変化を検出するように構成されたセンサとして機能する。例えば、１５誘導心電図検査では、１３個の電極３が患者に装着される一方、１２誘導心電図検査では、１０個の電極３が患者に装着される。各電極３から導出される患者の測定部位の電位変化を示す電気信号がアダプタ６に入力される。アダプタ６は、入力された電気信号を差動増幅することで、心電図信号を生成し、その後、生成された心電図信号をアナログーデジタル変換（ＡＤ変換）する。このようにして、アダプタ６により心電図波形データが生成される。当該生成された心電図波形データは、接続ケーブル７を介して心電計５に入力される。心電計５の制御部（ＣＰＵ等）は、心電図波形データに基づいて、心電図波形を心電計５の表示部に表示する。尚、アダプタ６が有するＡＤ変換などの機能は、心電計５に持たせてもよい。
【００１４】
尚、本実施形態では、アダプタ６と心電計５が別々に設けられているが、アダプタ６と心電計５は一体的に設けられてもよい。また、アダプタ６がない場合、ケーブル１の各リード線２は、心電計５（医療機器の一例）に設けられた複数の端子口のうちの対応する一つに挿入されてもよい。さらに、心電計５の代わりに、患者の生体情報（バイタルデータ）を表示するように構成された生体モニタがケーブル１に接続されてもよい。この場合、ケーブル１の各リード線２は、生体モニタに設けられた複数の端子口のうちの対応する一つに挿入されてもよい。
【００１５】
次に、ケーブル１について図２を参照して詳細に説明する。図２（ａ）は、ケーブル１の一部を示す拡大図である。図２（ｂ）は、図２（ａ）に示すケーブル１の各リード線２がアダプタ６に設けられた複数の端子口６２の対応する一つに挿入された状態を示す図である。以降では、説明の都合上、１３本のリード線２をリード線２ａ〜２ｍと称する場合がある。図２に示すように、各リード線２のリード線端子２２は、端子口６２に挿入される先端部２２ａを有する。先端部２２ａは、例えば、金属材料によって形成されている。また、リード線端子２２の表面２２ｓには、挿入される端子口６２を特定するための誘導名を示す誘導マーク２４が表示されていると共に、斜線マーク２３が表示されている。先端部２２ａを除くリード線端子２２の表面部分は、樹脂材料により形成されている。
【００１６】
例えば、リード線２ａのリード線端子２２の表面２２ｓには、Ｆを示す誘導マーク２４が表示されている。一方、Ｆを示す誘導マーク６４が、リード線２ａが挿入される端子口６２に対向するようにアダプタ６の表面に表示されている。また、リード線２ｇのリード線端子２２の表面２２ｓには、Ｃ３を示す誘導マーク２４が表示されていると共に、Ｃ３を示す誘導マーク６４が、リード線２ｇが挿入される端子口６２に対向するようにアダプタ６の表面に表示されている。このように、医療従事者は、各リード線２のリード線端子２２に表示された誘導マーク２４を見ることで、各リード線２に接続された電極３を患者の所定の測定部位に装着することができる。さらに、医療従事者は、リード線端子２２に表示された誘導マーク２４とアダプタ６の表面に表示された誘導マーク６４を見ることで、各リード線２が複数の端子口６２のうちの対応する一つに挿入されているかどうかを確実に把握することができる。
【００１７】
また、図２に示すように、各リード線２のリード線端子２２（詳細には、先端部２２ａ）が複数の端子口６２のうちの対応する一つに確実に挿入された状態で、複数のリード線端子２２は、リード線端子２２の挿入方向であるＤ１方向に直交するＤ２方向に配列されている。この状態で、隣接するリード線端子２２の表面２２ｓに表示された斜線マーク２３の表示位置が互いに異なっている。例えば、リード線２ａのリード線端子２２に表示された斜線マーク２３の表示位置は、リード線２ｂのリード線端子２２に表示された斜線マーク２３の表示位置とは異なっている。さらに具体的には、Ｄ２方向に配列された複数のリード線端子２２のうち一端側に位置するリード線２ａのリード線端子２２から他端側に位置するリード線２ｍのリード線端子２２に向けて、各斜線マーク２３の表示位置が連続的に変化している。また、各斜線マーク２３は、Ｄ２方向に対して連続的に斜めに延びる斜線パターンＰを形成している。誘導マーク２４と斜線マーク２３は、例えば、レーザマーキング法により、各リード線端子２２の表面２２ｓに形成される。
【００１８】
次に、リード線２が間違った端子口６２に挿入された状況（誤挿入状況）及びリード線２が対応する端子口６２に十分に挿入されていない状況（不完全な挿入状況）について図３を参照して説明する。図３（ａ）は、リード線２ａとリード線２ｂの各々が間違った端子口６２に挿入された状況を示す。図３（ｂ）は、リード線２ｉの先端部２２ａが対応する端子口６２に十分に挿入されていない状況を示す。
【００１９】
図３（ａ）に示すように、リード線２ａ，２ｂの各々が間違った端子口６２に挿入された状態で、図２（ｂ）に示すような斜線パターンＰが形成されない（換言すれば、斜線マーク２３の表示位置がＤ２方向に向かって連続的に変化しない）ので、医療従事者は、リード線２ａ，２ｂの挿入状況に違和感を覚える。即ち、医療従事者は、図２（ｂ）に示す斜線パターンＰを視認できないため、リード線２ａ，２ｂの各々が間違った端子口６２に挿入されたことを直感的且つ瞬時に把握することが可能となる。
【００２０】
さらに、図３（ｂ）に示すように、リード線２ｉが対応する端子口６２の奥まで十分に挿入されていない状態も同様に、図２（ｂ）に示すような斜線パターンＰが形成されないので、医療従事者は、リード線２ｉの挿入状況に違和感を覚える、即ち、医療従事者は、図２（ｂ）に示す斜線パターンＰを視認できないため、リード線２ｉの先端部２２ａが対応する端子口６２に十分に挿入されていないことを直感的且つ瞬時に把握することができる。
【００２１】
このように、本実施形態によれば、医療従事者が、各リード線２のリード線端子２２がアダプタ６の複数の端子口６２の対応する一つに確実に挿入されているかどうかを直感的に且つ瞬時に把握することができるケーブル１を提供することができる。
【００２２】
（第１変形例）
次に、本実施形態の第１変形例に係るケーブル１０について図４（ａ）を参照して説明する。図４（ａ）は、第１変形例に係るケーブル１０の一部を示す拡大図である。ケーブル１０は、誘導マークがリード線端子の表面に表示されていない点で、図２に示すケーブル１とは異なる。ケーブル１０のその他の構成は、ケーブル１の構成とほぼ同一である。ケーブル１０は、互いに分離した１３本のリード線１２を備える。各リード線１２のリード線端子１２２が、図２に示すアダプタ６に設けられた複数の端子口６２のうちの対応する一つに挿入された状態で、複数のリード線端子１２２がＤ２方向に配列されると共に、隣接するリード線端子１２２の表面１２２ｓに表示された斜線マーク１２３の表示位置が互いに異なる。さらに、各斜線マーク１２３は、Ｄ２方向に対して連続的に斜めに延びる斜線パターンＰ１を形成する。
【００２３】
このように、各斜線マーク１２３によって形成された斜線パターンＰ１によって、医療従事者は、各リード線１２のリード線端子１２２が図２に示すアダプタ６に設けられた複数の端子口６２の対応する一つに確実に挿入されているかどうかを直感的且つ瞬時に把握することができる。つまり、医療従事者は、斜線パターンＰ１が視認できないときは、誤挿入状況又は不完全な挿入状況が存在することを直感的且つ瞬時に把握することができる。
【００２４】
（第２変形例）
次に、本実施形態の第２変形例に係るケーブル１００について図４（ｂ）を参照して説明する。図４（ｂ）は、第２変形例に係るケーブル１００の一部を示す拡大図である。ケーブル１００は、斜線マークではなく台形マークが各リード線端子の表面に表示されている点で、図２に示すケーブル１とは異なる。ケーブル１００のその他の構成は、ケーブル１の構成とほぼ同一である。ケーブル１００は、互いに分離した１３本のリード線２２０を備える。各リード線２２０のリード線端子２２２が、図２に示すアダプタ６に設けられた複数の端子口６２のうちの対応する一つに挿入された状態で、複数のリード線端子２２２がＤ２方向に配列されると共に、隣接するリード線端子２２２の表面２２２ｓに表示された台形マーク２２３の表示面積が互いに異なる。具体的には、Ｄ２方向に配列された複数のリード線端子２２２のうち一端側に位置するリード線２２０のリード線端子２２２から他端側に位置するリード線２２０のリード線端子２２２に向けて、各台形マーク２２３の表示面積が連続的に変化している。また、各台形マーク２２３は、Ｄ２方向に対して連続的に斜めに延びる斜線ＳＬを有する三角形パターンＰ２を形成している。誘導マーク２４と台形マーク２２３は、例えば、レーザマーキング法により、各リード線端子２２２の表面２２２ｓに形成される。
【００２５】
このように、各台形マーク２２３によって形成された三角形パターンＰ２によって、医療従事者は、各リード線２２０のリード線端子２２２が図２に示すアダプタ６に設けられた複数の端子口６２の対応する一つに確実に挿入されているかどうかを直感的且つ瞬時に把握することができる。
【００２６】
以上、本発明の実施形態について説明をしたが、本発明の技術的範囲が本実施形態の説明によって限定的に解釈されるべきではない。本実施形態は一例であって、特許請求の範囲に記載された発明の範囲内において、様々な実施形態の変更が可能であることが当業者によって理解されるところである。本発明の技術的範囲は特許請求の範囲に記載された発明の範囲及びその均等の範囲に基づいて定められるべきである。
【００２７】
本実施形態では、ケーブル１は互いに分離した１３本のリード線２を備えているが、リード線２の本数は特に限定されない。例えば、１６誘導心電図検査を行う場合には、リード線の本数は１４本となる。さらに、１８誘導心電図検査を行う場合には、リード線の本数は１６本となる。
【００２８】
本実施形態では、各リード線２は、複数の電極３のうちの対応する一つに接続される電極接続部２６を有していなくてもよい。この場合、各リード線２は、対応する電極３と一体的に構成されてもよい。
【００２９】
また、本実施形態及び第２変形例では、リード線端子に表示されるマークの一例として、斜線マークと台形マークについて説明したが、各リード線端子に表示されるマークによって医療従事者により視認される所定のパターンが形成される限りにおいては、各リード線端子に表示されるマークの形状等は特に限定されない。
【００３０】
また、本実施形態及び第２変形例では、各リード線のリード線端子が、アダプタ６に設けられた複数の端子口６２のうちの対応する一つに挿入された状態で、隣接するリード線端子に表示された斜線マーク２３の表示位置または台形マーク２２３の表示面積が互いに異なっている。これに代わって、隣接するリード線端子に表示されたマークの形状又は表示色が互いに異なってもよい。例えば、Ｄ２方向に配列された複数のリード線端子の一端側に位置するリード線端子から他端側に位置するリード線端子に向けて、各マークの色相、明度又は彩度が徐々に変化してもよい。
【００３１】
また、本実施形態及び第２変形例では、各マークによって形成される所定パターンの一例として、斜線パターンＰ，Ｐ１及び三角形パターンＰ２について説明したが、所定パターンはこれらには限定されない。例えば、各マークによって所定の絵柄パターン（例えば、竜の絵柄パターン）が形成されてもよい。
【符号の説明】
【００３２】
１，１０，１００：ケーブル
２，２ａ〜２ｍ，１２，２２０：リード線
３：電極
５：心電計
６：アダプタ
７：ケーブル
２１：ケーブル本体
２２，１２２，２２２：リード線端子
２２ａ：先端部
２２ｓ，１２２ｓ，２２２ｓ：表面
２３，１２３：斜線マーク
２４，６４：誘導マーク
２６：電極接続部
６２：端子口
２２３：台形マーク
【図１】
2018006069.tif 000003
【図２】
2018006069.tif 000004
【図３】
2018006069.tif 000005
【図４】
2018006069.tif 000006